(57)【特許請求の範囲】
【請求項１】
製作される亀甲金網の耳部の位置に、線材からなるガイドを固定して配設し、該ガイドと、これに隣接する網線とを数回撚合してから、該撚合された部分から該ガイドを引き抜くことを特徴とする、耳線が省かれて略六角形の網目だけで構成された亀甲金網の製造方法。
【発明の詳細な説明】
【０００１】
【発明の属する技術分野】
本発明は、耳部の剛直性が減じられて形状適合性が改善された亀甲金網の製造方法に関する。
【０００２】
【発明が解決しようとする課題】
亀甲金網は、法面保護、漁網、保温材や保冷材の押さえ等々の用途に広く使用されてきた。図８に示されるように、従来の亀甲金網５０は、網線６２によって六角形の網目が形成されていることを特徴とし、耳部５２には耳線５４が略直線状に通されている。図９〜図１１は、この亀甲金網５０を製造する方法を例示する説明図である。これらの図から明らかなように、網線６２１、６５１などは、並設されたボビン７０から平行に繰り出され、コイル状に巻かれてヘール６８とされた網線６２２、６５２などと合わされ、合掌体５８などを経て、それぞれが同じ過程で亀甲金網５０に編まれていく。以下の説明は、便宜上、網線６２１と網線６２２が走行される系列を代表的に取り上げて行うが、他の網線６５１と網線６５２などの系列でも、同じ内容の加工が、同時に平行して行われるものである。
【０００３】
すなわち、ボビン７０から繰り出された網線６２１は、後方の合掌体５９を通り、ヘール６８から繰り出された網線６２２と共に、前方の合掌体５８を通過して撚合され、亀甲金網５０に加工される。合掌体５８は、網線用の通送孔５６をそれぞれに有する一対の半割形歯車５８１、５８２からなり、通送孔５６のそれぞれに網線６２１、６２２を通送しながら回転させることにより、網線６２１と網線６２２とが撚合される。この撚合を数回行った後、図１０に示されるように、一対の半割形歯車５８１、５８２を左右に分離・移動させ、隣接する別の半割形歯車と合致させてそれぞれに新たな合掌体を形成させる。図１０と図１１に基づいて、さらに詳しく説明すれば、合掌体５８を構成する半割形歯車５８１は、図１０において左方に移動し、左側の合掌体６４から分離して右方に移動してきた半割形歯車６４２と合体して合掌体６５が形成される。この合掌体６５を、前記回転とは逆方向に回転して再び数回撚合する。これらの工程を繰り返して行い、合掌体群の前方に設けられた引き出しロール６６によって引き出し、ワインダー（図示されてない）で巻き取ることによって、図８に例示される亀甲金網５０のロール状物を得ることができる。
【０００４】
上述したように、従来の亀甲金網は多くの用途で実用される有用な汎用材料である。しかしながら、用途によっては、耳部の剛直性が問題となることが指摘されている。例えば、平面的に使用する場合、耳部が吊るため所望の平面性が得られないとか、配管の断熱材押さえに巻く時などに、円筒状の外形にうまく馴染まないとかいう問題があった。
【０００５】
耳部の剛直性は、ほぼ直線状の耳線があって曲がりにくい組織になっていることによる。したがって、上述したような問題を解決するために、耳線を切断して耳の柔軟性を高めるような便宜的な処置が種々の施工現場で行われていて、作業の複雑化やコストの上昇を招いている。
【０００６】
そこで本発明者等は、従来技術の上述の問題点に鑑み、耳部が柔軟で平面性や作業性に優れた亀甲金網を提供しようと鋭意検討を重ねた結果、本発明に至ったのである。
【０００７】
【課題を解決するための手段】
本発明に係る亀甲金網の製造方法の要旨とするところは、製作される亀甲金網の耳部の位置に、線材からなるガイドを固定して配設し、ガイドと、これに隣接する網線とを数回撚合してから、撚合された部分からガイドを引き抜くことにある。
【０００８】
【発明の実施の形態】
次に、本発明に係る亀甲金網の製造方法の実施態様について、図面に基づいて詳しく説明する。
【０００９】
図１は、本発明に係わる亀甲金網の一例を示しているが、網線１４によって略正六角形の網目が全面に形成された亀甲金網１０とされていて、耳部１２には、従来の亀甲金網に見られる耳線が存在しない。この亀甲金網１０によれば、耳線がないため耳部が吊ることがなく、耳部も内部も均一になって平面性に優れた金網となる。また、直線的に配設された耳線がないため、耳部の剛直性が解消されて柔軟な組織となり、種々の形状に適合して容易に変形できるようになる。
【００１０】
図２は、図１に示される亀甲金網１０の耳部１２を拡大して示すものであるが、耳部１２に位置する網線１４の各々には、内径Ｄの円筒コイル１６が形成されている。そして、この円筒コイル１６は実用面で非常に有用な機能を発揮する。
【００１１】
例えば、図３に示されるように、円筒コイル１６に補強線２０を連続的に挿通させることによって耳部１２を補強し、亀甲金網１０の変形を低減させることができる。耳部１２を補強する用い方は、上述した本発明の効果と矛盾するようであるが、工業的に大量に生産される材料では、汎用性の有無がそのコストを左右して実用化の可否につながるものであり、本発明の亀甲金網１０においても、種々の用途に対応できる汎用性を備えることが重要である。本発明の亀甲金網の特徴である柔軟性や平面性を活かした用途だけに限定されず、形状の安定性が要請される用途では、その要請度に応じた剛性の補強線２０を選択・使用することにより、従来の亀甲金網以上に汎用性を高めることができる。
【００１２】
また、円筒コイル１６を連結部として利用し、亀甲金網どうしあるいは他の部材と連結することができる。図４に示される例では、亀甲金網１０１と亀甲金網１０２との耳部を突き合わせ、それぞれの円筒コイル１６を通して連結線２２を挿通させることにより、亀甲金網１０１と亀甲金網１０２とが平面的に連結されている。同様にして、一枚の亀甲金網１０を丸く曲げて両側の耳部１２を突き合わせ連結線２２で繋げば、円筒状の亀甲金網を容易に形成できる。あるいは、円筒コイル１６に挿通される係止具によって、他の部材への係止や、他の部材との連結が可能となる。
【００１３】
ロール状の巻物とされた本発明に係わる亀甲金網１０は、実用上、特に有用である。ロール状の巻物とされた亀甲金網１０は、ワインダーなどを用いて工場などで容易に生産できる。また、嵩張らない円柱状なので、保管や運送などに便利である。そして、用途に応じて任意の長さに切断して用いることができるのでロスが少ない。
【００１４】
次に、本発明の亀甲金網１０を製造する方法及び装置について説明する。
【００１５】
図５は本発明に係わる亀甲金網に関し、その製造装置の一例の要所を説明するものである。本例の製造装置には、図９〜図１１に示される、従来の亀甲金網製造方法の説明図で例示された製造装置が用いられ、耳線５４に代えて、耳線５４が走行する位置にガイド２４が配設されている。すなわち、後方の合掌体２６、へール（図中省略）が挿通されて固定されるためのロッド３０、前方の合掌体２８などからなる系列が多数並列された装置であって、合掌体２６、２８などは、一対の半割形歯車３４で構成されており、それぞれの半割形歯車３４には、網線（図中省略）が通挿されるための通挿孔３２が設けられている。そして、ガイド２４は、耳線５４が挿通されるはずの、合掌体２８の一方の通挿孔３２を貫通し、この通挿孔３２の後方で固定具３６によってその一端が固定され、他の一端は、通挿孔３２前方の引出しロール３８側に自由に突出している。
【００１６】
図５に示される製造装置を用いる亀甲金網１０の製造は、従来の製網方法とほぼ同様の操作で実施される。そして図６は、本例の装置を用いて耳線なしの亀甲金網１０が得られることを説明する模式図である。前方の合掌体２８から引出しロール３８（図中省略）によって矢印の向きに引き出された亀甲金網１０の耳部１２は、ガイド２４に網線１４が巻き付いた状態になっている。そして、ガイド２４の一端が固定具３６によって固定されてるため、亀甲金網１０と共にガイド２４は引出しロール３８の方向へ移動できず、耳部１２はガイド２４を滑りながら矢印方向に移動することになり、ガイド２４の端２５でガイド２４から離れる。このようにして、網線１４だけで六角形とされて、円筒コイル１６を備えた耳部１２が形成され、他方の耳部を同様に成形することにより、全面が六角形の網目からなる亀甲金網１０を得ることができる。
【００１７】
また図７は、本発明の亀甲金網の製造方法及び装置に関し、別の実施態様を説明するものであり、従来の製網方法における、特定位置の網線の代わりに、ガイド２４が配設される。合掌体２８（図中省略）から引き出された時の亀甲金網では、ガイド２４に、その両側の網線１４１と網線１４２とが交互に巻きついた状態であるが、亀甲金網が矢印の向きに移動するのに伴い、ガイド２４の端２５で、網線１４１と網線１４２とがガイド２４から離れて自由になり、それぞれに耳部１２１と耳部１２２とが形成される。同様に、耳部１２１と耳部１２２の、それぞれの反対側にもう一方の耳部を形成することによって、本発明に係わる２枚の亀甲金網１０３と亀甲金網１０４とが同時に得られる。
【００１８】
本発明の製造方法のさらに別の実施態様では、図６で説明される方法で片側の耳部１２を形成し、図７で説明される方法でもう一方の耳部１２を形成することにより亀甲金網を得ることができる。
【００１９】
ガイド２４の材質や形状は特に限定されないが、ガイド２４に沿って円筒コイル１６部分が滑って移動することを十分に考慮しなければならない。すなわち、滑り性を高めるにはガイド２４の表面が易滑性とされるのが好ましく、摩擦抵抗が小さくて摩擦損傷の少ない材質が選択される。あるいは、これら摩擦特性の良好な材質でメッキされたりする。また、滑り性を高めるには直線形状のガイド２４とされるのが好ましい。このため、合掌体２８による網線１４との撚合工程で、ガイド２４が過度に曲げられないだけの剛性が望まれ、特に好ましくは、網線１４より高い剛性のガイド２４が用いられる。ガイド２４の剛性を高めるには、高剛性の材料を用いたり、ガイド径を太くしたりする。
【００２０】
また、ガイド２４の長さも重要である。摩擦抵抗を小さくするには短いガイド２４が好ましいが、あまり短かくて、ガイド２４から離れて自由になった耳部が早々に形成されれば、引出しロール３８やワインダーによる張力によって、亀甲金網１０が幅縮みするので好ましくない。ガイド２４が合掌体２８から突出する長さは、製網された亀甲金網が引出しロール３８と接触する位置より長く、引出しロール３８から離れる位置より短くされるのが好ましい。
【００２１】
また、ガイド２４の一端を固定する位置は、前方の合掌体２８より後方であればよく特に限定されない。図５に例示されるように、後方の合掌体２６と前方の合掌体２８との間で固定されてもよいし、後方の合掌体２６より後方の、ボビン側で固定されてもよい。
【００２２】
以上、本発明に係わる亀甲金網、及び、その製造方法と装置について詳細に説明してきたが、本発明は上述の引用・例示に限定されず、亀甲金網の形状や材質、網線の材質や太さや断面形状や表面加工の有無、ガイドの材質や形状や固定方法や固定位置、製網装置の種類や構成などにつき、本発明の趣旨を逸脱しない範囲内で種々なる改良、修正、変化を加えた態様で実施し得るものである。
【００２３】
本発明の実施例を以下に詳しく説明する。
【００２４】
実施例１
網線に太さ０．４ｍｍの亜鉛メッキ鉄線を用い、図５に示されるのと同様に、両側の耳線位置にガイドを配設して亀甲金網を製作した。ガイドには太さ０．５５ｍｍの亜鉛メッキ鉄線を用い、その一端を前方の合掌体の後方にボルトで固定し、他の一端は、合掌体から引出しロールの真上まで伸ばして突出させた。得られた亀甲金網は、その全面が１０ｍｍの略正六角形の網目で構成されていた。網線とガイドの剛性を、一端を固定し、他端に一定荷重を負荷してその降下量を測定する方法で比較したところ、ガイドの剛性は網線の剛性の３．６倍であった。
【００２５】
実施例２
ガイドに太さ０．４ｍｍのＳＵＳ３０４線を用いた他は実施例１と同じ条件で、亀甲金網を製作した。網線の剛性に対し、ガイドの剛性は１．１倍であった。
【００２６】
実施例３
網線にビニール被覆線（太さ０．５ｍｍ、芯線径０．３５ｍｍ）を用いた他は実施例２と同様にして、１０ｍｍの略正六角形の網目の亀甲金網を製作した。網線の剛性に対し、ガイドの剛性は１．６倍であった。
【００２７】
【発明の効果】
本発明に係わる亀甲金網の製造方法によれば、既存の製網設備を用い、その耳線位置、あるいは、特定の網線位置にガイドを配設することにより、上述した、耳線が省かれて全面が六角形の網目で構成される亀甲金網を得ることができる。
【００２８】
そして特に、網線より高剛性のガイドが用いられれば、ガイドの変形が抑止され、ガイドに沿っての耳部の移動がさらに滑かになる効果がある。
【図面の簡単な説明】
【図１】  本発明に係る亀甲金網の一例を示す上面図である。
【図２】  本発明に係り、図１に示される亀甲金網の耳部を拡大して示し、同図（ａ）は側面図、同図（ｂ）は上面図である。
【図３】  本発明に係り、亀甲金網の使用例を示す上面図である。
【図４】  本発明に係り、亀甲金網の他の使用例を示す上面図である。
【図５】  本発明に係り、亀甲金網の製造方法を模式的に説明する斜視図である。
【図６】  本発明に係り、亀甲金網の製造方法の一例を模式的に説明する上面図である。
【図７】  本発明に係り、亀甲金網の製造方法の他の一例を模式的に説明する上面図である。
【図８】  従来例に係る亀甲金網の一例を示す上面図である。
【図９】  従来例に係り、亀甲金網の製造方法を模式的に説明する斜視図である。
【図１０】  従来例に係り、亀甲金網の製造方法を模式的に説明する図であり、理解のため、幅方向にのみ展開して示す斜視図である。
【図１１】  従来例に係り、亀甲金網の製造方法を模式的に説明する斜視図である。
【符号の説明】
１０、５０、１０１、１０２、１０３、１０４：亀甲金網
１２、５２：耳部
１４、６２、６２１、６２２、６５１、６５２：網線
１６：円筒コイル
１８：円筒コイルの中心軸
２０：補強線
２２：連結線
２４：ガイド
２５：ガイドの端
２６、２８、５８、５９、６４、６５：合掌体
３０、７２：ロッド
３２、５６：通挿孔
３４、５８１、５８２、５９１、５９２、６４１、６４２：半割形歯車
３６：固定具
３８、６６：引出しロール
５４：耳線
６８：ヘール
７０：ボビン
７４：ピン
Ｄ：円筒コイルの内径
【図１】
0003826306.tif 000002
【図２】
0003826306.tif 000003
【図３】
0003826306.tif 000004
【図４】
0003826306.tif 000005
【図５】
0003826306.tif 000006
【図６】
0003826306.tif 000007
【図７】
0003826306.tif 000008
【図８】
0003826306.tif 000009
【図９】
0003826306.tif 000010
【図１０】
0003826306.tif 000011
【図１１】
0003826306.tif 000012